(57)【特許請求の範囲】
【請求項１】
直線状辺部と該直線状辺部の一端部から一体延設された湾曲状辺部とをそれぞれ有する一対のフレームと、該一対のフレーム間に取外し可能に装着された複数の連結杆と、該一対のフレームの相対する内側面に設けられた複数対の凹部と、該凹部に両端部が嵌合された複数の支持棒と、該一対のフレーム間にて一方の該支持棒と他方の該支持棒又は連結杆との間に取外し可能に装架されたシートとを備え、シートの両端部にそれぞれ筒状部が形成されており、これらの筒状部に支持棒又は連結杆が通されていて、該シートの少なくとも一端部では筒状部に通した支持棒とこれに添えた支持棒とに渡りそれらの外周回りにシートを巻き付けて該シートの長さを調節し、かかる状態でシートの両端部における支持棒又は連結杆をフレームの凹部に嵌合するようにして成ることを特徴とする組立式椅子。
【請求項２】
シートの両端部にそれぞれ複数の筒状部が形成されており、これらの筒状部に支持棒が通されていて、該シートの少なくとも一端部では複数の筒状部にそれぞれ通した支持棒間に渡りそれらの外周回りにシートを巻き付けて該シートの長さを調節し、かかる状態でシートの両端部における支持棒又は連結杆を一対のフレームの凹部に嵌合するようにした請求項１記載の組立式椅子。
【請求項３】
シートに股ベルトが取外し可能に取付けられた請求項１又は２記載の組立式椅子。
【請求項４】
一対のフレームの直線状辺部のそれぞれに、湾曲状辺部が一体延設された一端部にて、前後方向転倒防止用のストッパが設けられた請求項１〜３のいずれか一つの項記載の組立式椅子。
【請求項５】
一対のフレームの直線状辺部のそれぞれに、左右方向転倒防止用のストッパが取外し可能に取付けられた請求項１〜４のいずれか一つの項記載の組立式椅子。
【請求項６】
一対のフレームの相対する内側面に一対の条溝が開設されており、該一対の条溝にテーブルの両端部から延設された枠部材が取外し可能に摺嵌された請求項１〜５のいずれか一つの項記載の組立式椅子。
【発明の詳細な説明】
【技術分野】
【０００１】
本発明は組立式椅子に関し、更に詳しくは、乳児、幼児、子供、大人等、老若男女が幅広く快適に使用することができる組立式椅子に関する。
【背景技術】
【０００２】
従来、前記のような組立式椅子として、一対のフレームと、該一対のフレーム間に取外し可能に装着された複数の連結杆と、該一対のフレーム間に取外し可能に装架された背もたれ板及び座板と、落下防止部材や転倒防止部材等の安全用部材を備えるものが提案されている（例えば特許文献１参照）。また別の組立式椅子として、一対のフレームと、該一対のフレーム間に取外し可能に装着された複数の連結杆及び枠体と、該枠体に取外し可能に装架されたシートと、落下防止部材や転倒防止部材等の安全用部材とを備えるものも提案されている（例えば特許文献２参照）。
【０００３】
しかし、特許文献１のような従来の組立式椅子には、背もたれ板及び座板が木材やプラスチック等の硬質の材料で形成されているため、首や腰の座りが不充分な乳児には不向きであり、またロッキングチェアとしては使用できないという問題がある。また特許文献２のような従来の組立式椅子には、もともとが乳幼児用に作製されているため、大人には不向きであり、また複数の用途に使用できるという利点があるものの、その用途に応じて長さの異なる複数のシートを用意しなければならないという問題がある。
【先行技術文献】
【特許文献】
【０００４】
【特許文献１】特開２００６−６８４９８号公報
【特許文献２】特開２０１２−２０５６１６号公報
【発明の概要】
【発明が解決しようとする課題】
【０００５】
本発明が解決しようとする課題は、乳児、幼児、子供、大人等、老若男女が幅広く快適に使用することができる組立式椅子を提供する処にある。
【課題を解決するための手段】
【０００６】
前記の課題を解決する本発明は、直線状辺部と該直線状辺部の一端部から一体延設された湾曲状辺部とをそれぞれ有する一対のフレームと、該一対のフレーム間に取外し可能に装着された複数の連結杆と、該一対のフレームの相対する内側面に設けられた複数対の凹部と、該凹部に両端部が嵌合された複数の支持棒と、該一対のフレーム間にて一方の該支持棒と他方の該支持棒又は連結杆との間に取外し可能に装架されたシートとを備え、シートの両端部にそれぞれ筒状部が形成されており、これらの筒状部に支持棒又は連結杆が通されていて、該シートの少なくとも一端部では筒状部に通した支持棒とこれに添えた支持棒とに渡りそれらの外周回りにシートを巻き付けて該シートの長さを調節し、かかる状態でシートの両端部における支持棒又は連結杆をフレームの凹部に嵌合するようにして成ることを特徴とする組立式椅子に係る。
【０００７】
本発明に係る組立式椅子は、直線状辺部と該直線状辺部の一端部から一体延設された湾曲状辺部とをそれぞれ有する一対のフレームと、該一対のフレーム間に取外し可能に装着された複数の連結杆と、該一対のフレームの相対する内側面に設けられた複数対の凹部と、該凹部に両端部が嵌合された複数の支持棒と、該一対のフレーム間にて一方の該支持棒と他方の該支持棒又は連結杆との間に取外し可能に装架されたシートとを備えている。詳しくは後述するように、本発明に係る組立式椅子は、一対のフレームの直線状辺部を例えば床上に置いた状態では通常の椅子として使用することができ、また一対のフレームの湾曲状辺部を例えば床上に置いた状態ではロッキングチェアとして使用することができるようになっているのである。
【０００８】
前記シートの両端部にはそれぞれ筒状部が形成されており、これらの筒状部に支持棒又は連結杆が通されていて、該シートの少なくとも一端部では筒状部に通した支持棒とこれに添えた支持棒とに渡りそれらの外周回りにシートを巻き付けて該シートの長さを調節し、かかる状態でシートの両端部における支持棒又は連結杆を一対のフレームの凹部に嵌合するようになっている。連結杆、支持棒及び凹部の形状は、これらを相互に関係付けるようになっていれば任意であるが、例えば、シートの両端部の筒状部に通した支持棒が円柱状であり、これに添えた支持棒も同じ大きさの円柱状である場合、２本の支持棒を合わせたときの両端部の側面形状は全体として偏平な楕円形状になるので、連結杆もその側面形状をかかる楕円形状のものにしておくと共に、予め一対のフレームの相対する内側面にかかる楕円形状に見合う形状の複数対の凹部を設けておき、通常はシートの両端部における各２本の支持棒の外周回りにシートを巻き付けた状態でこれらの支持棒の両端部を対を形成する凹部に嵌合すると、シートの両端部における各２本の支持棒は一対のフレームに固定された状態になり、結果として長さを調節したシートも固定された状態になる。シートの使用中に、シートに体重がかかっても、該シートの両端部における各２本の支持棒が一対のフレームからずれ動いたり、２本のシートの外周回りに巻き付けたシートが緩むことはない。詳しくは後述するように、乳幼児が通常の椅子として使用するとき、また大人が通常の椅子として使用するとき、更には乳幼児がロッキングチェアとして使用するとき等、用途に応じて支持棒をフレームのどの位置の凹部に嵌合するかを選択でき、またシートの長さを任意に調節できるので、シートは１枚でよく、またシートだけを簡単に取外すことができるため、その清掃や洗濯も容易である。かかるシートとしては、布製や網製のもの等を使用できるが、部分的に、例えば椅子として使用するときの座面に相当する部分に、自立性部材、例えば板材や、クッション材をシートに取付けた袋状部に挿入できるようにしたもの等も使用することができる。
【０００９】
本発明に係る組立式椅子では、シートの両端部にそれぞれ複数の筒状部を形成し、これらの筒状部に支持棒又は連結杆を通して、該シートの少なくとも一端部では複数の筒状部にそれぞれ通した支持棒間に渡りそれらの外周回りにシートを巻き付けて該シートの長さを調節し、かかる状態でシートの両端部における支持棒を一対のフレームの凹部に嵌合するようにすることもできる。詳しくは後述するように、例えばシートの両端部で各２本の支持棒を用いる場合、前記したように、シートの両端部に各１本の筒状部を形成し、これらの筒状部に各１本の支持棒を通して、これらの支持棒に他の各１本の支持棒を添えた状態とし、かかる状態で、シートの両端部において各２本の支持棒の外周回りにシートを巻き付けて該シートの長さを調節することができるのであり、またシートの両端部に各２本の筒状部を形成し、これらの筒状部に各１本の支持棒を通した状態とし、かかる状態で、シートの両端部において各２本の支持棒の外周回りにシートを巻き付けて該シートの長さを調節することもできるのである。支持棒は丸棒や角棒等、その形状は任意であり、またその本数は、シートの一端部において２本以上であれば、これも任意であるが、通常はシートの一端部において２本とするのが好ましい。
【００１０】
本発明に係る組立式椅子においては、シートに股ベルトを取外し可能に取付けることが好ましい。乳幼児が本発明に係る組立式椅子を使用するとき、不用意に動いて椅子から落下する危険を未然に防止するためである。
【００１１】
また本発明に係る組立式椅子においては、一対のフレームの直線状辺部のそれぞれに、湾曲状辺部が一体延設された一端部にて、前後方向転倒防止用のストッパを設けることが好ましく、更に一対のフレームの直線状辺部のそれぞれに、左右方向転倒防止用のストッパを取外し可能に取付けることが好ましい。これらのストッパにより、使用中の椅子が前後方向や左右方向へ転倒するのを未然に防止することができる。
【００１２】
更に本発明に係る組立式椅子においては、一対のフレームの湾曲状辺部の相対する内側面に一対の条溝を開設し、該一対の条溝にテーブルの両端部から延設されたフレームを取外し可能に摺嵌することが好ましい。飲食、特に乳幼児の飲食に誠に便利であるからである。
【発明の効果】
【００１３】
本発明に係る組立式椅子によると、背もたれ面や座面がシート、通常は布製や網製のシートで形成されているため、首や腰の座りが不充分な乳児でも使用することができ、ロッキングチェアとしても使用できる。また背もたれ面や座面を形成するシートの長さが簡単に調節できるため、乳幼児から大人にいたる迄、幅広く使用でき、しかもシートは１枚でよく、その取外しができるため洗濯にも便利である。本発明に係る組立式椅子によると、乳児、幼児、子供、大人等、老若男女が幅広く快適に使用することができるのである。
【図面の簡単な説明】
【００１４】
【図１】本発明に係る組立式椅子を例示する全体斜視図。
【図２】図１の組立式椅子においてフレームの凹部に連結杆が装着された状態を示す正面側から見た部分拡大断面図。
【図３】図２と同じ状態を示す側面側から見た部分拡大断面図。
【図４】図１の組立式椅子においてシートの一端部の筒状部に通した支持棒とこれに添えた支持棒との外周回りにシートを巻き付ける直前の状態を示す部分拡大断面図。
【図５】図４の状態から２本の支持棒の外周回りにシートを巻き付けた後の状態を示す部分拡大断面図。
【図６】図５の状態の支持棒をフレームの凹部に嵌合した状態を示す正面側から見た部分拡大断面図。
【図７】本発明に係る他の組立式椅子においてシートの一端部の合計２本の筒状部にそれぞれ通した合計２本の支持棒の外周回りにシートを巻き付ける直前の状態を示す部分拡大断面図。
【図８】図７の状態から２本の支持棒の外周回りにシートを巻き付けた後の状態を示す部分拡大断面図。
【図９】図１の組立式椅子においてフレームの直線状辺部に取付けた左右方向転倒防止用のストッパを示す部分拡大斜視図。
【図１０】図１の組立式椅子においてテーブルを示す拡大平面図。
【図１１】図１０のテーブルの枠部材をフレームの条溝に摺嵌した状態を示す部分拡大平面図。
【図１２】図１の組立式椅子の他の使用状態を例示する全体斜視図。
【図１３】図１の組立式椅子の更に他の使用状態を例示する全体斜視図。
【実施例】
【００１５】
図１は本発明に係る組立式椅子を例示する全体斜視図である。図１に例示した組立式椅子は、一対のフレーム１１，１２の直線状辺部１１ａ，１２ａを床上に置き、主に乳幼児用の通常の椅子として使用する場合を例示している。図１に例示した組立式椅子は、直線状辺部１１ａ，１２ａと直線状辺部１１ａ，１２ａの一端部から一体延設された湾曲状辺部１１ｂ，１２ｂとをそれぞれ有する一対のフレーム１１，１２と、一対のフレーム１１，１２間に取外し可能に装着された複数の連結杆２１〜２４と、一対のフレーム１１，１２の相対する内側面に設けられた複数対の凹部３１，３１・・と、凹部３１，３１・・に両端部が嵌合された複数の支持棒４１〜４４と、一対のフレーム１１，１２間にて一方の支持棒４１，４２と他方の支持棒４３，４４との間に取外し可能に装架されたシート５１とを備え、シート５１の両端部にそれぞれ筒状部６１，６２が形成されており、これらの筒状部６１，６２に支持棒４１，４３が通されていて、シート５１の少なくとも一端部では筒状部６１に通した支持棒４１とこれに添えた支持棒４２とに渡りそれらの外周回りにシート５１を巻き付けてシート５１の長さを調節し、かかる状態でシート５１の両端部における支持棒４１〜４４をフレーム１１，１２の凹部３１，３１・・に嵌合した状態になっている。
【００１６】
図１に例示した本発明に係る組立式椅子には、シート５１のほぼ中央部に股ベルト６０が取外し可能に取付けられている。また一対のフレーム１１，１２の直線状辺部１１ａ，１２ａのそれぞれに、湾曲状辺部１１ｂ，１２ｂが一体延設された一端部にて、前後方向転倒防止用の爪状のストッパ７１ａ，７２ａが前方に突設されている。更に一対のフレーム１１，１２の直線状辺部１１ａ，１２ａのそれぞれ両端部に左右方向転倒防止用のストッパ７１ｂ，７１ｃ，７２ｂ，７２ｃ（但し、ストッパ７２ｂは図示しない、以下同じ）が取外し可能に取付けられている。そして一対のフレーム１１，１２の相対する内側面に一対の条溝１１ｃ，１２ｃが開設されており、一対の条溝１１ｃ，１２ｃにテーブル８１の両端部から延設された枠部材８３，８４が取外し可能に摺嵌されている。
【００１７】
図２は図１の組立式椅子においてフレームに連結杆が装着された状態を示す正面側から見た部分拡大断面図であり、また図３は図２と同じ状態を示す側面図から見た部分拡大断面図である。連結杆２３の一端部の断面及びフレーム１１の湾曲状辺部１１ｂの内側面に設けられた凹部３１の断面は共に偏平な楕円形状に形成されており、連結杆２３の一端部が湾曲状辺部１１の凹部３１に嵌合されている。湾曲状辺部１１ｂには凹部３１を臨んで孔９１ａ穿設されており、連結杆２３の一端部の中央軸線部にはネジ溝２３ａが設けられていて、ネジ９１を孔９１ａを通してネジ溝２３ａに螺合し、締め付けることにより、連結杆２３の一端部を湾曲状辺部１１ｂの凹部３１に取外し可能に装着している。説明を省略するが、連結杆２３の他端部と湾曲状辺部１２ｂの凹部３１との関係も同様になっており、これらの関係は他の連結杆２１，２２，２４についても同様になっている。
【００１８】
図４は図１の組立式椅子においてシートの一端部の筒状部に通した支持棒とこれに添えた支持棒との外周回りにシートを巻き付ける直前の状態を示す部分拡大側面図であり、また図５は図４の状態から２本の支持棒の外周回りにシートを巻き付けた後の状態を示す部分拡大側面図である。図４において、シート５１の一端部に円筒状の筒状部６１が形成されており、筒状部６１に円柱状の支持棒４１が通されていて、支持棒４１に同じ大きさの円柱状の支持棒４２が添えられている。この状態で、図５に示すように、２本の支持棒４１，４２の外周回りにシート５１を巻き付けると、その分だけシート５１の見掛けの長さは短くなる。支持棒４１，４２は同じ大きさの円柱状になっており、したがって双方を合わせたときの２本の支持棒４１，４２の両端部は全体として偏平な楕円形状を呈し、かかる楕円形状は前記した連結杆２１〜２４の両端部や一対のフレーム１１，１２の凹部３１，３１・・と同様の形状になっているので、図５の状態で、支持棒４１，４２の両端部を一対のフレーム１１，１２の湾曲状辺部１１ｂ，１２ｂの一対の凹部３１，３１・・に嵌合する。説明を省略するが、シート５１の他端部における支持棒４３，４４も同様になっている。
【００１９】
実際の手順では、連結杆２３，２４のネジ９１〜９４（但し、ネジ９２〜９４は図示しない、以下同じ）を緩め、凹部３１，３１・・から支持棒４１〜４４を取外して、支持棒４１，４２及び支持棒４３，４４の外周回りに図４及び図５について前記した手順でシート５１の両端部を巻き付けてその見掛けの長さを調節し、再び支持棒４１，４２及び支持棒４３，４４の両端部を適宜に選択した凹部３１，３１・・にあてがった状態でネジ９１〜９４を締め付けて、支持棒４１，４２及び支持棒４３，４４の両端部を凹部３１，３１・・に嵌合し、見掛けの長さを調節したシート５１を一方の支持棒４１，４２と他方の支持棒４３，４４との間に取外し可能に装架する。
【００２０】
図６は図５の状態の支持棒をフレームの凹部に嵌合した状態を示す正面側から見た部分拡大断面図である。支持棒４１，４２の外周回りにシート５１の一端部が巻き付けられており、シート４１，４２の一端部はフレーム１１の湾曲状辺部１１ｂの凹部３１に嵌合されている。凹部３１を臨み孔９１ｃが穿設されているが、孔９１ｃは、凹部３１に連結杆の一端部を前記したようにネジ止めするときに、ネジを通すためのものである。
【００２１】
図７は本発明に係る他の組立式椅子においてシートの一端部の合計２本の筒状部にそれぞれ通した合計２本の支持棒の外周回りにシートを巻き付ける直前の状態を示す部分拡大側面図であり、また図８は図７の状態から２本の支持棒の外周回りにシートを巻き付けた後の状態を示す部分拡大側面図である。図７において、シート５２の一端部に円筒状の筒状部６３，６４が形成されており、筒状部６３，６４に円柱状の支持棒４５，４６が通されている。この状態で、図８に示すように、２本の支持棒４５，４６の外周回りにシート５２を巻き付けると、その分だけシート５２の見掛けの長さは短くなる。支持棒４５，４６は同じ大きさの円柱状になっており、したがって双方を合わせたときの２本の支持棒４５，４６の両端部は全体として偏平な楕円形状を呈し、かかる楕円形状は連結杆の両端部や一対のフレームの凹部と同様の形状になっているので、図８の状態で、支持棒４５，４６の両端部を一対のフレームの湾曲状辺部の一対の凹部に嵌合する。説明を省略するが、シート５２の他端部における２本の支持棒も同様になっている。
【００２２】
図９は図１の組立式椅子においてフレームの直線状辺部に取付けた左右方向転倒防止用のストッパを示す部分拡大斜視図である。ストッパ７１ｂは半球体の中央部に条溝を有する形状になっており、この条溝にフレーム１１の直線状辺部１１ａが差し込まれている。説明を省略する他のストッパ７１ｃ，７２ｂ，７２ｃも同様になっていて、これらのストッパ７１ｂ，７１ｃ，７２ｂ，７２ｃで、使用中に組立式椅子が左右方向に転倒するのを未然に防止している。ストッパ７１ａ，７２ａは、前記したように爪状になっており、一対のフレーム１１，１２の直線状辺部１１ａ，１２ａから湾曲状辺部１１ｂ，１２ｂが一体延設される一端部にて前方に突設されていて、使用中に組立式椅子が前後方向に転倒するのを未然に防止している。
【００２３】
図１０は図１の組立式椅子においてテーブルを示す拡大平面図であり、また図１１は図１０のテーブルの枠部材をフレームの条溝に摺嵌した状態を示す部分拡大平面図である。テーブル８１は載置台８２とその枠部材８３，８４とを備え、枠部材８３，８４の端部は載置台８２から後方に延設されている。一対のフレーム１１，１２の湾曲状辺部１１ｂ，１２ｂの相対する内側面には枠部材８３，８４に相応する条溝１１ｃ，１２ｃが設けられており、湾曲状辺部１１ｂ，１２ｂには条溝１１ｃ，１２ｃを臨んで孔９１ｄ，９２ｄ（但し、孔９１ｄは図示しない、以下同じ）が穿設されている。枠部材８３，８４には各３本のネジ溝９１ｅ〜９１ｇ，９２ｅ〜９２ｇ（但し、ネジ溝９１ｅ〜９１ｇは図示しない、以下同じ）が施されており、これらのネジ溝９１ｅ〜９１ｇ，９２ｅ〜９２ｇを直下に臨む上面にマーク１０１ａ〜１０１ｃ，１０２ａ〜１０２ｃ（但し、マーク１０１ａ〜１０１ｃは図示しない、以下同じ）が付けられている。枠部材８３，８４を条溝１１ｃ，１２ｃに差し込み、マーク１０１ｂ，１０２ｂを孔９１ｄ，９２ｄの位置に合わせて、ネジ９３，９４を孔９１ｄ，９２ｄを通してネジ溝９１ｆ，９２ｆに螺合し、締め付けることにより、テーブル８１を一対のフレーム１１，１２の湾曲状辺部１１ｂ，１２ｂに取外し可能に取付ける。
【００２４】
図１２は図１の組立式椅子の他の使用状態を例示する全体斜視図である。図１２に例示した組立式椅子は、図１の組立式椅子と同様、一対のフレーム１１，１２の直線状辺部１１ａ，１２ａを床上に置き、通常の椅子として使用する場合を例示しているが、シート５１の長さを図１の場合よりも長く調節すると共に、支持棒４３，４４の両端部を嵌合する凹部３１，３１の位置を図１の場合よりも低くし、また股ベルト６１及びテーブル８１を取外して、主に大人用の通常の椅子として使用する場合を例示している。
【００２５】
図１３は図１の組立式椅子の更に他の使用状態を例示する全体斜視図である。図１３に例示した組立式椅子は、図１や図１２の組立式椅子とは異なり、一対のフレーム１１，１２の湾曲状辺部１１ｂ，１２ｂを床上に置き、主に乳幼児用のロッキングチェアとして使用する場合を例示している。図１３の組立式椅子では、シート５１の長さを図１や図１２の場合よりも長く調節すると共に、支持棒４３，４４に代えて連結杆２１を用い、テーブル８１を取外している。
【符号の説明】
【００２６】
１１，１２                      フレーム
１１ａ，１２ａ                  直線状辺部
１１ｂ，１２ｂ                  湾曲状辺部
２１〜２４                      連結杆
３１                            凹部
４１〜４６                      支持棒
５１，５２                      シート
７１ａ〜７１ｃ，７２ａ〜７２ｃ  ストッパ
８１                            テーブル
９１，９３，９４                ネジ
【要約】
乳児、幼児、子供、大人等、老若男女が幅広く快適に使用することができる組立式椅子を提供する。
直線状辺部と該直線状辺部の一端部から一体延設された湾曲状辺部とをそれぞれ有する一対のフレームと、該一対のフレーム間に取外し可能に装着された複数の連結枠と、該一対のフレームの相対する内側面に設けられた複数対の凹部と、該凹部に両端部が嵌合された複数の支持棒と、該一対のフレーム間にて一方の該支持棒と他方の該支持棒又は連結杆との間に取外し可能に装架されたシートとを備え、シートの両端部にそれぞれ筒状部が形成されており、これらの筒状部に支持棒又は連結杆が通されていて、該シートの少なくとも一端部では筒状部に通した支持棒とこれに添えた支持棒とに渡りそれらの外周回りにシートを巻き付けて該シートの長さを調節し、かかる状態でシートの両端部における支持棒又は連結杆をフレームの凹部に嵌合するようにした。【図１】
0005676066.tif 000002
【図２】
0005676066.tif 000003
【図３】
0005676066.tif 000004
【図４】
0005676066.tif 000005
【図５】
0005676066.tif 000006
【図６】
0005676066.tif 000007
【図７】
0005676066.tif 000008
【図８】
0005676066.tif 000009
【図９】
0005676066.tif 000010
【図１０】
0005676066.tif 000011
【図１１】
0005676066.tif 000012
【図１２】
0005676066.tif 000013
【図１３】
0005676066.tif 000014